【手続補正書】
【提出日】平成16年10月4日(2004.10.4)
【手続補正１】
【補正対象書類名】特許請求の範囲
【補正対象項目名】全文
【補正方法】変更
【補正の内容】
【特許請求の範囲】
【請求項１】
電圧制御器（１５０）であって、
ルックアップテーブル（３０２）を含んでおり、デジタル誤差信号に基づいてデジタル制御信号（１５４）を確定するための補償器（３００）と、
前記確定されたデジタル制御信号に応答して電源制御信号（１５６）を供給するように動作する変調器（４００）とを備え、変換器電圧（１０４）を基準電圧（１０６）と比較し、前記比較された電圧間の差を示す前記デジタル誤差信号（１５２）を生成するように動作する遅延線アナログ／デジタル変換器（７００）を特徴とする電圧制御器。
【請求項２】
受動電子部品を含まないことを特徴とする請求項１に記載の制御器。
【請求項３】
前記比較器は完全にデジタル論理ゲートを用いて実施されることを特徴とする請求項１に記載の制御器。
【請求項４】
制御器内のすべてのエネルギー蓄積部品はデジタル論理ゲートであることを特徴とする請求項１に記載の制御器。
【請求項５】
前記遅延線ＡＤＣは遅延セルアレイ（７４０）を備えることを特徴とする請求項１に記載の制御器。
【請求項６】
前記遅延線ＡＤＣは、前記比較された電圧間の前記差を示す温度計符号出力（７７２）を供給するように動作することを特徴とする請求項１に記載の制御器。
【請求項７】
前記遅延線ＡＤＣを通る試験信号伝播の程度は前記温度計符号を確立する（ｅｓｔａｂｌｉｓｈ）ことを特徴とする請求項６に記載の制御器。
【請求項８】
前記遅延線ＡＤＣは、前記温度計符号を前記デジタル誤差信号に変換するように動作する符号化器（７３０）を備えることを特徴とする請求項６に記載の制御器。
【請求項９】
前記変調器はデジタルパルス幅変調器であることを特徴とする請求項１に記載の制御器。
【請求項１０】
前記変調器は、前記電源制御信号についてパルスオン期間の第１成分を確定するように動作するカウンタ（４０６）を備えることを特徴とする請求項１に記載の制御器。
【請求項１１】
前記変調器は、前記電源制御信号についてパルスオン期間の第２成分を確定するように動作する遅延線（４０２）を備えることを特徴とする請求項１に記載の制御器。
【請求項１２】
前記変調器は、
前記電源制御信号についてパルスオン期間の第１成分を確定するように動作するカウンタと、
前記電源制御信号についてパルスオン期間の第２成分を確定するように動作する遅延線を備えることを特徴とする請求項１に記載の制御器。
【請求項１３】
アナログ／デジタル変換器（ＡＤＣ）（７００）であって、入力電圧を有し、
遅延セルのアレイ（７４０）であって、それぞれが前記入力電圧によって電源供給される、遅延セルのアレイと、
前記遅延セルアレイに結合した信号タップアレイ（７８０）とを特徴とするアナログ／デジタル変換器（ＡＤＣ）。
【請求項１４】
前記遅延セルはデジタル論理ゲートであることを特徴とする請求項１３に記載のＡＤＣ。
【請求項１５】
受動アナログ部品を含まないことを特徴とする請求項１３に記載のＡＤＣ。
【請求項１６】
前記遅延セルアレイを通る試験信号の伝播速度は、前記入力電圧の大きさにほぼ比例することを特徴とする請求項１３に記載のＡＤＣ。
【請求項１７】
前記信号タップアレイは、前記遅延セルそれぞれに結合した信号タップ（７２８）を備えることを特徴とする請求項１６に記載のＡＤＣ。
【請求項１８】
前記信号タップのステータスは、前記遅延セルアレイを通る前記信号の伝播速度を示すことを特徴とする請求項１７に記載のＡＤＣ。
【請求項１９】
温度計符号（７７２）を前記信号タップアレイからデジタル誤差信号に変換する符号化器をさらに備えることを特徴とする請求項１３に記載のＡＤＣ。
【請求項２０】
コンデンサを含まないか、または誘導子を含まないことを特徴とする請求項１３に記載のＡＤＣ。
【請求項２１】
コンデンサを含まないか、誘導子を含まないか、または抵抗を含まないことを特徴とする請求項１３に記載のＡＤＣ。
【請求項２２】
電圧制御器（１５０）であって、
アナログ電圧（１０４）をアナログ基準電圧（１０６）と比較し、前記出力電圧と前記基準電圧の差を示すデジタル誤差信号（１５２）を供給するように動作する電圧比較器（７００）と、
前記供給された誤差信号に基づいてデジタル制御信号を確定するように動作する補償器（３００）と、
前記確定されたデジタル制御信号に基づいて電源制御信号を供給するように動作する変調器（４００）とを備え、前記比較器、前記補償器、および前記変調器は、完全にデジタル論理ゲートを用いて実施されることを特徴とする電圧制御器。
【請求項２３】
前記デジタル論理ゲートのすべては標準ライブラリセルに対応することを特徴とする請求項２２に記載の電圧制御器。
【請求項２４】
前記デジタル論理ゲートのすべては、ＨＤＬ（ｈａｒｄｗａｒｅ  ｄｅｓｃｒｉｐｔｉｏｎ  ｌａｎｇｕａｇｅ）に適合していることを特徴とする請求項２２に記載の電圧制御器。
【請求項２５】
受動電子部品を含まないことを特徴とする請求項２２に記載の電圧制御器。
【請求項２６】
アナログエネルギー蓄積部品を含まないことを特徴とする請求項２２に記載の電圧制御器。
【請求項２７】
コンデンサを含まないか、誘導子を含まないか、または抵抗を含まないことを特徴とする請求項２２に記載の電圧制御器。
【請求項２８】
電圧を制御する方法であって、
変換器出力電圧を基準電圧と比較するステップ（７００）と、
前記比較の結果を示すデジタル誤差信号を生成するステップと、
前記生成された誤差信号を示す電源制御信号（１５６）を供給するステップとを含み、前記比較するステップ、前記生成するステップ、および前記供給するステップは、完全にデジタル論理ゲートを用いて実行されることを特徴とする方法。
【請求項２９】
前記比較するステップは、前記変換器出力電圧を用いて複数の遅延セルのアレイ（７４０）に電源供給するステップを含むことを特徴とする請求項２８に記載の方法。
【請求項３０】
前記比較するステップは、遅延セルのアレイを通る試験信号伝播の程度を測定するステップを含み、前記遅延セルは前記変換器出力電圧によって電源供給されることを特徴とする請求項２８に記載の方法。
【請求項３１】
前記供給するステップは、制御アルゴリズムに従って前記生成された誤差信号からデジタル制御信号を確定するステップを含むことを特徴とする請求項２８に記載の方法。
【請求項３２】
前記確定するステップは、前記生成された誤差信号の値に基づいてルックアップテーブルエントリを選択するステップを含むことを特徴とする請求項３１に記載の方法。
【請求項３３】
前記供給するステップは、制御アルゴリズムに従って前記生成された誤差信号からデューティ比を確定するステップを含むことを特徴とする請求項２８に記載の方法。
【請求項３４】
電圧を制御する方法（１５０）であって、
調整器出力電圧（１０４）を受け取るステップと、
前記受け取った出力電圧をデジタル誤差信号（１５２）に変換するステップと、
前記デジタル誤差信号に基づいて前記調整器出力電圧を調整するステップとを含み、前記変換するステップは遅延線を用いて実行されることを特徴とする方法。
【請求項３５】
前記変換するステップは、
前記受け取った変換器出力電圧（１０４）を用いて遅延セルアレイ（７４０）に電源供給するステップと、
前記電源供給された遅延セルアレイを通る試験信号の伝播速度を測定するステップと、
前記測定された試験信号を示す前記デジタル誤差信号を生成するステップとを含むことを特徴とする請求項３４に記載の方法。
【請求項３６】
前記変換するステップは前記遅延線ＡＤＣを較正するステップをさらに含むことを特徴とする請求項３５に記載の方法。
【請求項３７】
前記較正するステップは、
前記遅延線ＡＤＣを使用して、基準電圧を基準変換誤差値に変換するステップと、
前記基準変換誤差値を前記デジタル誤差信号に加算するステップ（１１１４）であって、それによって、補正されたデジタル誤差信号（１１５２）を供給する、加算するステップとを含むことを特徴とする請求項３６に記載の方法。
【請求項３８】
前記較正するステップは、
基準電圧（１０６）を用いて、前記遅延セルアレイに電源供給するステップと、
前記基準電圧で電源供給された遅延セルアレイを通る試験信号の伝播速度を測定するステップと、
前記測定された試験信号伝播速度を示す基準変換誤差値（１１０８）を生成するステップと、
前記基準変換誤差値を前記生成されたデジタル誤差信号に加算するステップ（１１１４）とを含むことを特徴とする請求項３６に記載の方法。
【請求項３９】
前記調整するステップは、制御アルゴリズムに従って、前記生成されたデジタル誤差信号に基づいてデジタル制御信号を確定するステップを含むことを特徴とする請求項３４に記載の方法。
【請求項４０】
電圧制御器（１５０）であって、
変換器出力電圧源（１０４）と、
前記出力電圧に応答して、前記出力電圧と以前に格納された基準電圧の差を示すデジタル誤差信号（１５２）を生成するようにするアナログ／デジタル変換器（ＡＤＣ）（７００）と、
前記デジタル誤差信号に応答して、デジタル制御信号を生成するようにするデジタル電子計算器（３００）と、
前記生成されたデジタル制御信号に応答して、電源制御信号に対するパルスオン期間を生成するようにするパルス幅変調器（４００）とを備え、前記ＡＤＣは遅延線を含むことを特徴とする電圧制御器。
【請求項４１】
前記遅延線ＡＤＣは、能動基準電圧源と前記以前に格納された基準電圧の間の比較に応答して、基準変換誤差値を生成するようにすることを特徴とする請求項４０に記載の電圧制御器。
【請求項４２】
前記遅延線ＡＤＣは、前記基準変換誤差値を格納するレジスタ（１１０６）を備えることを特徴とする請求項４１に記載の電圧制御器。
【請求項４３】
前記遅延線ＡＤＣは、前記デジタル誤差信号および前記基準変換誤差値に応答して、前記デジタル誤差信号および前記基準変換誤差値の合計値を生成するようにする電圧比較回路（１１１４）を備えることを特徴とする請求項４２に記載の電圧制御器。
【手続補正２】
【補正対象書類名】明細書
【補正対象項目名】００４４
【補正方法】変更
【補正の内容】
【００４４】
【表１】
2005512493.tif 000001
図１４は、図７の遅延線ＡＤＣ７００に含まれる変換器７３０の機能のブロック図である。好ましい実施形態において、符号化器７３０は、入力として、遅延線ＡＤＣ７００の温度計符号７７２を受け取り、符号化されたデジタル出力１５２を出力する。温度計符号７７２は、フリップフロップ出力の配列７７０に含まれるデジタル値の配列である。温度計符号は、識別ベクトル７７６およびオーバフロー指示器７７８を符号化器７８４に供給する識別器ブロック７７４に送られるのが好ましい。その後、符号化器ブロックはデジタル出力１５２を供給する。